(57)【要約】【課題】掛杆の抜け止め強度に優れ、且つ組立て時の作業性にも優れた水準器を提供することを目的とする。【解決手段】器体１の端部に掛杆３を抜け止め状態に設ける掛杆取付体４を設け、この掛杆取付体４は、一対の掛杆取付半体４Ａ同士を突き合わせ係合して形成すると共に、この一対の掛杆取付半体４Ａで掛杆３の基端部を挟持して、掛杆３の先端部が掛杆取付体４から半環状に突出するように設けた構成とし、掛杆３は、この掛杆３の基端部に設けた係止部３Ａが該掛杆３の環内を貫通し一対の掛杆取付半体４Ａ間に架設状態に設けた金属製の抜け止め体５に係止して掛杆取付体４に対して抜け止め状態に設けた構成とし、この掛杆３を設けた掛杆取付体４は、器体１の端部に内挿し固定した水準器。【選択図】図２
2015137956.tif 000002
【特許請求の範囲】
【請求項１】
器体に気泡の位置により水平度若しくは垂直度を測定する測定用気泡管を設けると共に、この器体の端部に金属製の掛杆を突設した水準器において、前記器体の端部に前記掛杆を抜け止め状態に設ける掛杆取付体を設け、この掛杆取付体は、一対の掛杆取付半体同士を突き合わせ係合して形成した構成とすると共に、この一対の掛杆取付半体で前記掛杆の基端部を挟持して、前記掛杆をこの掛杆の先端部が前記掛杆取付体からコ字状、弧状、逆Ｕ字状若しくはヘ字状などの半環状に突出するように設けた構成とし、この掛杆取付体に設けた掛杆は、この掛杆の基端部に設けた係止部が前記掛杆の環内を貫通し前記一対の掛杆取付半体間に架設状態に設けた金属製の抜け止め体に係止して前記掛杆取付体に対して抜け止め状態に設けた構成とし、前記掛杆を設けた掛杆取付体は、前記器体の端部に内挿し、前記掛杆取付体に設けた前記抜け止め体を前記器体の外方から挿入した固定具で固定し、若しくは前記抜け止め体に設けた貫通孔に前記器体の外方から挿入した固定具を挿通させて抜け止めし、若しくは抜け止め体としての固定具を前記器体の外方から前記掛杆取付体に挿入して、前記器体に設けたことを特徴とする水準器。
【請求項２】
前記器体の端部に内挿した掛杆取付体は、この掛杆取付体内に設けた前記抜け止め体に設けたネジ孔に前記器体の外方から前記固定具としての固定ネジを螺着し、若しくは前記抜け止め体に設けた貫通孔に前記器体の外方一側から前記固定具としての固定ネジを挿通して他側からナットを締め付けて、この器体に前記掛杆取付体を螺着固定して、この器体の端部に前記掛杆を突出状態に設けたことを特徴とする請求項１記載の水準器。
【請求項３】
前記器体は、金属製の筒状体に形成し、左右端部に前記掛杆取付体を内挿する掛杆取付体収納部を設けた構成としたことを特徴とする請求項１，２のいずれか１項に記載の水準器。
【請求項４】
前記係止部は、コ字状、弧状、逆Ｕ字状若しくはヘ字状などの半環状に形成した一本の金属製の棒状体の両基端部を内側に折曲して形成した構成としたことを特徴とする請求項１〜３のいずれか１項に記載の水準器。
【請求項５】
前記抜け止め体は、金属製の柱状体から成るとともに、上下端面に夫々ネジ孔を螺設し、前記掛杆取付体を構成する前記掛杆取付半体の一方若しくは双方に設けた抜け止め体位置決め部に回り止め状態に設けた構成としたことを特徴とする請求項１〜４のいずれか１項に記載の水準器。
【発明の詳細な説明】
【技術分野】
【０００１】
本発明は、携帯用に適した水準器に関するものである。
【背景技術】
【０００２】
携帯用に適した水準器は、コンパクトな作りで作業者はポケット等に入れて容易に持ち運ぶことができるが、その反面、携帯中に落として無くしてしまうこともある。
【０００３】
そのため、このような携帯用の水準器を携帯する際は、携帯用紐等の線体を用いて作業者と水準器を連結して、ポケットから落ちても無くさないようにしている。
【０００４】
従来、この携帯用紐等の線体を連結し易いように、例えば特許文献１や特許文献２に示すような、器体の端部に掛杆を設けたものが提案されている。
【先行技術文献】
【特許文献】
【０００５】
【特許文献１】特開２０１１−３８８４０号公報
【特許文献２】特開２０１２−２５５７２８号公報
【発明の概要】
【発明が解決しようとする課題】
【０００６】
上記のように掛杆に線体を連結した状態で水準器を使用した場合、掛杆に強い引張力が作用することがあるため、この引張力に耐え得る十分な抜け止め強度が必要である。
【０００７】
しかしながら、従来の水準器に設けたられた掛杆は、器体に設けた樹脂製の抜け止め体で抜け止め状態に設けた構成であったり、特許文献１のように薄いアルミフレームに形成した嵌合部の端面に僅かに引っ掛けて抜け止め状態に設けた構成であったり、或いは特許文献２のように外装部を重合止めするビスで抜け止め状態に設けた構成であり、抜け止め強度が不十分であった。
【０００８】
加えて、従来の水準器は、器体（外装部）を突き合わせ重合して形成する構成であり、掛杆は、この突き合わせ重合する器体で挟持することによって固定される構成としていたため、器体を突き合わせ重合する際、固定されていない掛杆が位置ズレすることがあり組み立て時の作業性を低下させていた。
【０００９】
本発明は、上述のような従来の問題点に鑑み、掛杆の抜け止め強度に優れ、且つ組立て時の作業性にも優れた水準器を提供することを目的とする。
【課題を解決するための手段】
【００１０】
添付図面を参照して本発明の要旨を説明する。
【００１１】
器体１に気泡の位置により水平度若しくは垂直度を測定する測定用気泡管２を設けると共に、この器体１の端部に金属製の掛杆３を突設した水準器において、前記器体１の端部に前記掛杆３を抜け止め状態に設ける掛杆取付体４を設け、この掛杆取付体４は、一対の掛杆取付半体４Ａ同士を突き合わせ係合して形成した構成とすると共に、この一対の掛杆取付半体４Ａで前記掛杆３の基端部を挟持して、前記掛杆３をこの掛杆３の先端部が前記掛杆取付体４からコ字状、弧状、逆Ｕ字状若しくはヘ字状などの半環状に突出するように設けた構成とし、この掛杆取付体４に設けた掛杆３は、この掛杆３の基端部に設けた係止部３Ａが前記掛杆３の環内を貫通し前記一対の掛杆取付半体４Ａ間に架設状態に設けた金属製の抜け止め体５に係止して前記掛杆取付体４に対して抜け止め状態に設けた構成とし、前記掛杆３を設けた掛杆取付体４は、前記器体１の端部に内挿し、前記掛杆取付体４に設けた前記抜け止め体５を前記器体１の外方から挿入した固定具６で固定し、若しくは前記抜け止め体５に設けた貫通孔16に前記器体１の外方から挿入した固定具６を挿通させて抜け止めし、若しくは抜け止め体５としての固定具６を前記器体１の外方から前記掛杆取付体４に挿入して、前記器体１に設けたことを特徴とする水準器に係るものである。
【００１２】
また、前記器体１の端部に内挿した掛杆取付体４は、この掛杆取付体４内に設けた前記抜け止め体５に設けたネジ孔７に前記器体１の外方から前記固定具６としての固定ネジ６を螺着し、若しくは前記抜け止め体５に設けた貫通孔16に前記器体１の外方一側から前記固定具６としての固定ネジ６を挿通して他側からナット17を締め付けて、この器体１に前記掛杆取付体４を螺着固定して、この器体１の端部に前記掛杆３を突出状態に設けたことを特徴とする請求項１記載の水準器に係るものである。
【００１３】
また、前記器体１は、金属製の筒状体に形成し、左右端部に前記掛杆取付体４を内挿する掛杆取付体収納部８を設けた構成としたことを特徴とする請求項１，２のいずれか１項に記載の水準器に係るものである。
【００１４】
また、前記係止部３Ａは、コ字状、弧状、逆Ｕ字状若しくはヘ字状などの半環状に形成した一本の金属製の棒状体の両基端部を内側に折曲して形成した構成としたことを特徴とする請求項１〜３のいずれか１項に記載の水準器に係るものである。
【００１５】
また、前記抜け止め体５は、金属製の柱状体から成るとともに、上下端面に夫々ネジ孔７を螺設し、前記掛杆取付体４を構成する前記掛杆取付半体４Ａの一方若しくは双方に設けた抜け止め体位置決め部９に回り止め状態に設けた構成としたことを特徴とする請求項１〜４のいずれか１項に記載の水準器に係るものである。
【発明の効果】
【００１６】
本発明は上述のように構成したから、掛杆の抜け止め強度に優れ、且つ組立て時の作業性にも優れた画期的な水準器となる。
【００１７】
即ち、本発明は、単に金属製の抜け止め体で掛杆を抜け止めするのではなく、この抜け止め体を掛杆取付体に設け、この掛杆取付体に掛杆を抜け止め体で抜け止め状態に設ける構成とし、更に、この掛杆取付体を器体の端部に内挿することで、掛杆を器体１の端部に突出状態に設ける構成としたから、従来の水準器に設けた掛杆よりも抜け止め強度に優れた実用性に優れた水準器となる。
【００１８】
しかも、上述したように、掛杆は器体に直接設けず、別部品の掛杆取付体に設けた構成とし、更に、掛杆取付体に設ける際、この掛杆取付体を構成する一対の掛杆取付半体で挟持状態に設けられるので、掛杆取付体に設けられた掛杆は位置ズレしにくく、掛杆は掛杆取付体を器体の端部に内挿するだけの極めて単位な作業で容易に組み付けられることなり、極めて組み立て作業性に優れた画期的な水準器となる。
【図面の簡単な説明】
【００１９】
【図１】本実施例を示す斜視図である。
【図２】本実施例の要部を示す説明断面図である。
【図３】本実施例の要部を示す説明分解斜視図である。
【図４】本実施例の要部を示す説明分解斜視図である。
【図５】本実施例の別例を示す説明分解斜視図である。
【発明を実施するための形態】
【００２０】
好適と考える本発明の実施形態を、図面に基づいて本発明の作用を示して簡単に説明する。
【００２１】
本発明の掛杆３は、金属製の抜け止め体５により掛杆取付体４に対して強固に抜け止めされ、更に、この掛杆３を抜け止めする抜け止め体５は掛杆取付体４を構成する掛杆取付半体４Ａで挟持固定状態に設けられるので、掛杆３は、抜け止め体５と掛杆取付体４の二重の抜け止め部材により抜け止めされることとなり、一層強固に抜け止め状態に設けられる。
【００２２】
したがって、本発明は、極めて抜け止め強度に優れた掛杆３を備えた水準器となり、掛杆３に強い引張力が作用しても、掛杆３が抜け落ちることが無く、また、この掛杆３に作用する引張力は、掛杆取付体４と抜け止め体５で受け止められるため、器体１に掛かる負荷が軽減され、器体１を破損するおそれも殆ど無い実用性に優れた水準器となる。
【００２３】
更に、本発明の掛杆３は、掛杆取付体４を構成する掛杆取付半体４Ａで挟持された状態で器体１に設けられるので、この掛杆３を器体１に設ける組み付け作業において、掛杆３が位置ズレしにくく、従って、水準器自体の組み立て作業が容易となる水準器となる。
【実施例】
【００２４】
本発明の具体的な実施例について図面に基づいて説明する。
【００２５】
本実施例は、図１に示すような、器体１に気泡の位置により水平度若しくは垂直度を測定する測定用気泡管２を設けると共に、この器体１の端部に金属製の掛杆３を突設した水準器であり、この端部に突設した掛杆３に携帯用紐等の線体のフックやカラビナ等の連結具を連結して落下防止対策を容易に可能とした携帯用に適した水準器である。
【００２６】
具体的には、器体１の端部に掛杆３を抜け止め状態に設ける掛杆取付体４を設け、この掛杆取付体４は、一対の掛杆取付半体４Ａ同士を突き合わせ係合して形成した構成とすると共に、この一対の掛杆取付半体４Ａで掛杆３の基端部を挟持して、掛杆３をこの掛杆３の先端部が掛杆取付体４からコ字状、弧状、逆Ｕ字状若しくはヘ字状などの半環状に突出するように設けた構成とし、この掛杆取付体４に設けた掛杆３は、この掛杆３の基端部に設けた係止部３Ａが掛杆３の環内を貫通し一対の掛杆取付半体４Ａ間に架設状態に設けた金属製の抜け止め体５に係止して掛杆取付体４に対して抜け止め状態に設けた構成とし、掛杆３を設けた掛杆取付体４は、器体１の端部に内挿し、掛杆取付体４に設けた抜け止め体５を器体１の外方から挿入した固定具６で固定し、若しくは抜け止め体５に設けた貫通孔に器体１の外方から挿入した固定具６を挿通させて抜け止めし、若しくは抜け止め体５としての固定具６を器体１の外方から掛杆取付体４に挿入して、器体１に設けた構成としている。
【００２７】
本実施例の水準器をより詳細に説明すると、本実施例の器体１は、図１に示すように、金属製の筒状体に形成し、左右端部に掛杆３を設けた掛杆取付体４を内挿する掛杆取付体収納部８を設けた構成としている。
【００２８】
具体的には、器体１は、長尺な金属製の角筒状のケース体に形成し、前後両表面にこの角筒ケース状器体１内に配設した水平度測定用気泡管２Ａを視認可能とする水平測定用気泡管窓孔10Ａを開口形成すると共に、角筒ケース状器体１内に配設した垂直度測定用気泡管２Ｂを視認可能とする垂直測定用気泡管窓孔10Ｂを開口形成した構成としている。
【００２９】
本実施例は、この角筒ケース状器体１内に水平度測定用気泡管２Ａをこの角筒ケース状器体１に設けた水平測定用気泡管窓孔10Ａから視認可能に配設し、同様に垂直度測定用気泡管２Ｂを垂直測定用気泡管窓孔10Ｂから視認可能に配設して水準器本体部11を形成し、この水準器本体部11の両端部、具体的には、角筒ケース状器体１の左右の端部に形成された掛杆取付体収納部８に掛杆３を設けた掛杆取付体４を内挿して、この水準器本体部11の開口端部を閉塞すると共に角筒ケース状器体１の端部に掛杆３を突出状態に設けた構成としている。
【００３０】
また、本実施例の掛杆３は、図２に示すように、角筒ケース状器体１の端部に設けた際、この角筒ケース状器体１から突出する弧状に形成した引掛け部３Ｂと、この引掛け部３Ｂの両端に連設した対向連設部３Ｃと、夫々の対向連設部３Ｃの端部に内方に向けて突設し、後述する抜け止め体５に係止する係止部３Ａとから成る平面視略Ｃ状に形成した構成としている。
【００３１】
具体的には、一本の金属製の棒状体を折曲して形成した構成としており、より具体的にはコ字状の半環状に形成した一本の金属製の棒状体の対向連設部３Ｃの夫々の基端部を内側に折曲して、この折曲部を係止部３Ａとした構成としている。尚、本実施例の掛杆３は、対向連設部３Ｃの夫々に係止部３Ａを設けた構成、即ち、係止部３Ａが二つある構成としたが、例えば、対向連設部３Ｃ間に一本の係止部３Ａを架設状態に設けた環状に形成した構成としても良く、また、引掛け部３Ｂの形状は、弧状以外にも、直線状、Ｕ字状、へ字状などにしても良い。
【００３２】
また、本実施例の掛杆取付体４は、図３，図４に示すように、一対の掛杆取付半体４Ａ同士を突き合わせ係合して形成した構成とすると共に、この一対の掛杆取付半体４Ａで前記掛杆３の基端部を挟持する構成としている。
【００３３】
具体的には、図２に示すように、挟持する掛杆３の係止部３Ａを位置決めする係止部位置決め部12、掛杆３の対向連設部３Ｃと係合する対向連設部係合凹部13、及びをこの掛杆取付体４に対して掛杆３を抜け止めする抜け止め体５を位置決めする抜け止め体位置決め部９を設けた構成としている。
【００３４】
この抜け止め体位置決め部９は、抜け止め体５を回り止めする形状とし、具体的には、本実施例では、この抜け止め体位置決め部９を平面視六角形状の凹部に形成し、水平断面形状六角形に形成した抜け止め体５が回り止め状態に嵌合するように構成している。尚、本実施例では、この抜け止め体位置決め部９を夫々の掛杆取付半体４Ａに設けた構成としているが、いずれか一方側のみに設けた構成としても良い。
【００３５】
また更に、この抜け止め体位置決め部９は、底部に、固定具６、具体的には固定ネジ６を挿通し得る挿通孔14を設けた構成として、この挿通孔14は、掛杆取付体４を角筒ケース状器体１の端部に内挿した際、角筒ケース状器体１に設けたネジ挿通孔15と連通状態となる構成としている。
【００３６】
また、本実施例の抜け止め体５は、図３に示すように、金属製の柱状体（本実施例では六角柱に形成）から成り、上下端面の夫々にネジ孔７を螺設した構成とし、図２に示すように、掛杆取付半体４Ａに設けた抜け止め体位置決め部９に嵌合し掛杆取付体４に回り止め状態に設けられる構成としている。
【００３７】
具体的には、抜け止め体位置決め部９に嵌合した際、この抜け止め体５と共に掛杆取付半体４Ａに挟持状態に設けられる掛杆３の環内に貫通状態に設けられると共に、係止部位置決め部12で位置決めされた掛杆３の係止部３と当接状態若しくは近接状態に設けられて、掛杆３に外方に引き抜かれる力が作用すると、この掛杆３の係止部３Ａが係止して掛杆３を抜け止めする構成としている。
【００３８】
また、この掛杆３を抜け止め体５により抜け止め状態に設けた掛杆取付体４は、角筒ケース状器体１の端部に設けた掛杆取付体収納部８に内挿収納され螺着により角筒ケース状器体１に固定される構成としている。
【００３９】
具体的には、角筒ケース状器体１の掛杆取付体収納部８に掛杆取付体４を内挿収納すると角筒ケース状器体１に設けたネジ挿通孔15と掛杆取付体４に設けた挿通孔14が連通状態となり、この連通する挿通孔14、ネジ挿通孔15を通じて角筒ケース状器体１の外方から固定ネジ６を抜け止め体５に螺着して掛杆取付体４を角筒ケース状器体１に螺着固定する構成としている。
【００４０】
尚、掛杆取付体４を角筒ケース状器体１に固定する固定手段は、上記に限らず、例えば図５に示すように、抜け止め体５に設けた貫通孔16に角筒ケース状器体１の外方一側から固定ネジ６を挿通して他側からナット17を締め付けても良い。
【００４１】
また、上記構成にした場合、固定ネジ６は抜け止め体５に螺着しないので、この抜け止め体５を回り止めしなくても良く、従って、抜け止め体５は図５のように円柱形状でも良く、また、この抜け止め体５を位置決めする抜け止め体位置決め部９は、円筒形に構成しても良い。
【００４２】
尚、本発明は、本実施例に限られるものではなく、各構成要件の具体的構成は適宜設計し得るものである。
【符号の説明】
【００４３】
１  器体
２  測定用気泡管
３  掛杆
３Ａ  係止部
４  掛杆取付体
４Ａ  掛杆取付半体
５  抜け止め体
６  固定具，固定ネジ
７  ネジ孔
８  掛杆取付体収納部
９  抜け止め体位置決め部
16  貫通孔
17  ナット
【図１】
2015137956.tif 000003
【図２】
2015137956.tif 000004
【図３】
2015137956.tif 000005
【図４】
2015137956.tif 000006
【図５】
2015137956.tif 000007